(57)【特許請求の範囲】
【請求項１】
地中に係止したアンカー部材（３）を用いて法面に圧接して地すべりや法面崩壊を防止するアンカー工法用受圧板であって、
接地底板（２ａ）と、前記アンカー部材（３）と係合可能な受け座（４）を備えた係止部（２ｂ）とを設けて、接地側が開放し、且つ、前記法面との間に固化性充填材（５）を充填可能な充填用空間（Ｓ）を内部に形成してある枠状本体（２）を備えたアンカー工法用受圧板。
【請求項２】
前記枠状本体（２）に、前記充填用空間（Ｓ）内で前記接地側を区画する区画壁部（２ｄ）を設けてある請求項１記載のアンカー工法用受圧板。
【請求項３】
前記枠状本体（２）に、固化後の前記固化性充填材（５）が前記枠状本体（２）から抜け出すのを阻止する抜け出し阻止手段（６）を設けてある請求項１又は２に記載のアンカー工法用受圧板。
【請求項４】
前記枠状本体（２）の外周壁部（２ｃ）及び前記区画壁部（２ｄ）が、前記枠状本体（２）の接地側に向けて壁厚さが減少するように形成して、前記抜け出し阻止手段（６）を構成してある請求項３記載のアンカー工法用受圧板。
【請求項５】
前記受け座（４）を球面受け座に形成してある請求項１〜４の何れかに記載のアンカー工法用受圧板。
【発明の詳細な説明】
【０００１】
【発明の属する技術分野】
本発明は、地中に係止したアンカー部材を用いて法面に圧接して地すべりや法面崩壊を防止するアンカー工法用受圧板に関する。
【０００２】
【従来の技術】
従来、法面保護については、２通りの手段が用いられている。第１の手段は、法面に縦横に鉄筋コンクリート製のフレームを配設し、法面に対しそのフレームに支持されるコンクリート壁を形成するものである。前記フレームは、地中に係止したアンカー部材によって地山に固定されるもので、法面上に配筋してコンクリートを打設するものである。その地山の法面への圧接は、コンクリートの固化後にアンカー部材を緊張することによって行われる。また、第２の手段は、例えば、図８に示すように受圧板１は、地中に掘削して形成したアンカーホールＨ内に挿入したアンカー３ａをグラウト材Ｇを用いて係止固定し、法面Ｆに接地面部１ａを接当させた受圧板１の受け座４にアンカーヘッド３ｂを係止させて固定される。この受圧板１は、例えば図９に示すような、十字形状のプレキャストコンクリート製のブロックである。この受圧板１は、順次法面Ｆ上に固定して、全体として格子様形状に配列される。前記受圧板１は嵩張り、重量は３〜４トンにも達するものであるが、これを法面Ｆ上に運搬して、前記アンカー部材３によって地山Ｂに固定され、前記アンカー部材３を緊張することによって接地面部１ａが法面Ｆに圧接される。
【０００３】
【発明が解決しようとする課題】
上記従来の法面保護手段においては、前記第１の手段において、傾斜した法面上でのコンクリート打設作業は危険を伴うと同時に、コテ仕上げを必要とし、施工条件、作業安全性共に問題を有するものである。さらに、アンカー部材の緊張は、打設後のコンクリートが固化するのを待たねばならず、施工に多大の日時を要するという問題も有している。また、前記第２の手段においては、受圧板１が重量物であるために、その輸送に多大の手間と輸送費を要するうえに、輸送並びに地山Ｂへの固定に危険を伴うものであり、さらに、現場施工の前に予め形成された大型の受圧板１を用いるために、前記受圧板１の接地面部１ａは平面状に形成されており、前記アンカー部材３を緊張して前記受圧板１の接地面部１ａを法面Ｆに圧接しても、法面Ｆとの接地性が悪く、法面Ｆとの間に隙間を生じ、地山Ｂに均等な荷重を加えることが出来ず、さらに、アンカー３ａを貫通して、アンカーヘッド３ｂを係止させるべき受け座４が予め前記接地面部１ａにほぼ平行に形成されているために、アンカー部材３の緊張方向が、法面Ｆに対して垂直に近く保たれない場合には、前記アンカーヘッド３ｂの前記受け座４への片当たりを招き、受圧板１に回転モーメントをもたらして、接地面部１ａが法面Ｆに対して偏った荷重をもたらす結果を招くことがあり、アンカー部材３の係止にも制約がある等、充分な法面保護には問題を残している。
そこで、本発明のアンカー工法用受圧板は、上記の問題点を解決し、施工場所への運搬に際しては軽量で、且つ、嵩張らず、また、施工に際して、アンカー部材の緊張によって容易に均等な荷重を地山に加えることが可能な、接地性に優れた法面保護手段を提供することを目的とする。
【０００４】
【課題を解決するための手段】
〔第１特徴構成〕
上記の目的のための本発明のアンカー工法用受圧板の第１特徴構成は、接地底板と、前記アンカー部材と係合可能な受け座を備えた係止部とを設けて、接地側が開放し、且つ、法面との間に固化性充填材を充填可能な充填用空間を内部に形成してある枠状本体を備えた（請求項１に対応）点にある。
〔第１特徴構成の作用効果〕
上記第１特徴構成によれば、前記枠状本体は枠体のみで、充填材を後から充填するようにしてあるので、施工場所への搬入に際しては前記枠状本体のみの重量のものを輸送すればよく、また、前記接地底板を備え、且つ、前記受け座を備えているので、前記枠状本体設置時に前記アンカー部材を仮緊張しても、前記枠状本体が大きく地山に嵌入することがなく、前記充填用空間に前記固化性充填材を充填するに先立って確実に前記枠状本体を法面に接地させることが可能であり、従って、前記充填用空間内に充填する前記固化性充填材を確実に法面に接地させて、その固化後の前記枠状本体と一体に形成する地山への接地面を、法面に沿う表面形状に形成することが可能となる。従って、前記固化性充填材が固化した後に、前記アンカー部材を緊張すれば、アンカー工法用受圧板と法面との間に隙間が生ずることがなく、充分に法面に均等な荷重を加えることが出来る。また、アンカーの仮緊張は、施工中の法面の安定化、ひいては安全性の維持に役立つものである。
その結果、施工場所への運搬に際しては軽量で、また、施工に際して、アンカー部材の緊張によって容易に均等な荷重を地山に加えることが可能で、施工性が改善され、且つ、接地性に優れた法面保護手段とすることが出来る。
〔第２特徴構成及び作用効果〕
尚、本発明のアンカー工法用受圧板の第２特徴構成として、前記第１特徴構成における枠状本体に、前記充填用空間内で前記接地側を区画する区画壁部を設け（請求項２に対応）てあれば、傾斜地における流動性を有する充填材を充填する場合に、充填空間を傾斜面に沿う拡がりを小さくして、充填材注入時に、前記枠状本体の上面にまで充分に充填することが可能になる。従って、表面仕上げの手間が省け、設置に際しての施工が容易になる。さらに、前記区画壁と固化後の前記充填材との摩擦抵抗により、前記枠上本体の充填空間内への前記充填材の係止力を増大することが可能になり、前記枠上本体の法面への圧接による地山への荷重を確実に均等に加えることを可能とする。
その結果、施工性は大幅に改善され、且つ、接地性に優れた法面保護手段とすることが出来る。
〔第３特徴構成及び作用効果〕
また、本発明のアンカー工法用受圧板の第３特徴構成として、前記第１特徴構成又は第２特徴構成における枠状本体に、固化後の固化性充填材が前記枠状本体から抜け出すのを阻止する抜け出し阻止手段を設け（請求項３に対応）てあればなおよく、このようにすれば、前記第３特徴構成に比してさらに接地性並びに対地荷重を確実にすることが出来る。
〔第４特徴構成及び作用効果〕
そして、本発明のアンカー工法用受圧板の第４特徴構成として、前記第３特徴構成における枠状本体の外周壁部及び前記区画壁部が、前記枠状本体の接地側に向けて壁厚さが減少するように形成して、抜け出し阻止手段を構成（請求項４に対応）してあれば一層よく、このようにすれば、単純な構造で容易に充填材の抜け出しを阻止出来るうえに、充填空間内に充填した充填材に対して、アンカー部材の緊張力を前記充填材に伝達して、前記充填材を介しての対地荷重を均等化することが容易となる。
〔第５特徴構成及び作用効果〕
さらに、本発明のアンカー工法用受圧板の第５特徴構成として、前記第１特徴構成〜第４特徴構成の何れかにおける受け座を球面受け座に形成（請求項５に対応）してあれば、アンカー部材の地山に対する係止角度に自由度を持たせることが出来る。つまり、従来とは異なり、アンカー部材に対して球面受け座を介して係止するので、係止角度が変化しても、アンカー部材の緊張に伴って受圧板に回転モーメントが加わることがない。従って、受圧板の接地部において地山の法面に偏った荷重を加えることなく、地すべり、法面崩壊防止に一層有効な法面固定手段とすることが出来る。
【０００５】
【発明の実施の形態】
上記本発明のアンカー工法用受圧板の実施の形態の一例について、以下に、図面を参照しながら説明する。
図１はアンカー工法用受圧板の接地状態の縦断面図を、図２にはアンカー工法用受圧板の斜視図を、夫々示した。
【０００６】
アンカー工法用受圧板（以下、単に受圧板という。）１は、地中に掘削して形成したアンカー孔Ｈ内にグラウト材Ｇを注入して係止したアンカー部材３（通常テンドンと称する。）を用いて法面Ｆに圧接して前記法面Ｆの地すべりや法面崩壊を防止するように構成してある。
前記受圧板１は、接地底板２ａと、前記アンカー部材３のアンカーヘッド３ｂが係合可能な受け座４を備えた係止部２ｂとを設け、前記受圧板１の接地面部１ａ側が開放し、且つ、前記法面Ｆとの間に流動性を有する固化性充填材５を充填可能な充填用空間Ｓを内部に形成してある枠状本体２を備えて形成してある。
【０００７】
前記枠状本体２には、前記充填用空間Ｓ内で前記接地面部１ａ側を区画する区画壁部２ｄを設けてあり、前記充填用空間Ｓは、前記枠状本体２の外周壁部２ｃ、前記区画壁部２ｄとで区画空間Ｓ１を形成してあり、前記外周壁部２ｃ、前記区画壁部２ｄ夫々に接地部２ｅが前記接地面部１ａ側に形成してある。
上記の構成によって、前記枠状本体２を、前記アンカー部材３の仮緊張によって地山Ｂに圧接した際に、前記各壁部２ｃ，２ｄの各接地部２ｅが幾分地山Ｂに嵌入するが、前記接地底板２ａが前記法面Ｆに圧接されるので、前記各接地部２ｅが大きく地山Ｂに嵌入することは防止される。従って、前記各接地部２ｅが適度に地山Ｂに嵌入する結果、前記充填用空間Ｓの前記接地面部１ａ側で、例えば、前記固化性充填材としてのスラリー状のコンクリート５の漏出する隙間が生ずるおそれがない。さらに、前記接地面部１ａが封止された状態で前記コンクリート５を前記各区画空間Ｓ１に充填することにより、前記コンクリート５が前記各区画空間Ｓ１内で固化して、前記枠状体２と一体化した固形のコンクリート５Ａの前記接地面部１ａ側に形成された接地面は、忠実に前記法面Ｆに沿う表面形状となる。こうして、前記アンカー部材３を緊張すれば、前記コンクリート５Ａと一体化して前記枠状体２が形成した受圧板１は、その接地面部１ａから均等に地山Ｂに荷重を加えることが出来るようにしてある。
【０００８】
前記接地底板２ａは、前記枠状体２の中央に位置する区画空間Ｓ１の底部に設けられており、且つ、同じ区画空間Ｓ１に、その中央部を上方に膨出させて、上面を球面に形成するとともに、その中央部に貫通孔を設けた、球面受け座４を配置してある。
【０００９】
さらに、前記外周壁部２ｃ及び前記区画壁部２ｄが、前記接地面部１ａ側に向けて壁厚さが減少するように形成して、該壁部２ｃ，２ｄ間の面間隔を、前記接地面部１ａ側が広くなるようにし、前記コンクリート５Ａが前記枠状本体２から抜け出すのを阻止する抜け出し阻止手段６を構成してあり、例えば、土圧が高まって、前記法面Ｆから前記コンクリート５Ａに対して、前記枠状本体２から上方に押し出すような力が作用した場合にも、前記コンクリート５Ａの圧縮強度の高いことにより、上方に向けて断面積の縮小する前記充填用空間Ｓ内で、前記法面Ｆからの作用力によって前記コンクリート５Ａが前記区画空間Ｓ１から上方に押し上げられた力に対抗して、前記外周壁部２ｃ及び前記区画壁部２ｄ夫々の内壁面２ｆからの反力が作用し、前記コンクリート５Ａが上方に抜け出ることを阻止出来るようにしてある。
【００１０】
また、前記受け座４を球面受け座に形成してあり、前記アンカー部材３の地山Ｂに対する係止角度に自由度を持たせるようにした結果、アンカー孔Ｈを掘削して、アンカー３ａをそのアンカー孔Ｈに挿入し、グラウト材Ｇを注入して係止した状態でのテンションテストの結果によって、アンカー孔Ｈを再掘削する場合には、前記係止角度は当然に異なるものになるが、このような係止角度が変化した場合にも、アンカー部材３のアンカーヘッド３ｂを、球面受け座を介して前記枠状本体２に係止するので、アンカー３ａの緊張に伴って受圧板１に回転モーメントが加わることがない。こうして、地すべりや法面崩壊防止施工を容易にするようにしてある。
【００１１】
次に、本発明の他の実施の形態について説明する。
〈１〉上記実施の形態においては、抜け止め阻止手段６として、テーパ状の壁部２ｃ，２ｄを設けるようにしたが、充填用空間Ｓ内で固化した固化性充填材５が抜け出さないような構成であればよく、例えば、固化性充填材５を充填可能な開口を設けた、壁部と一体化された蓋部であってもよい。また、前記蓋部には開口を設けず、他に前記充填用空間に連通する充填材充填用開口部を備えたものであってもよい。さらに、図３に示すように、前記外周壁部２ｃ及び前記区画壁部２ｄの内壁面２ｆに、前記区画空間Ｓ１（換言すれば前記充填用空間Ｓ）内に突出する抜け止め突起６Ａを設けたものであってもよい。このようにすれば、前記抜け止め突起６Ａが固化後の固化性充填材５の内部に前記内壁面２ｆから嵌入した状態となるので、その抵抗によって、前記固化後の固化性充填材５の前記内壁面２ｆに沿う移動を阻止することが出来、抜け止め阻止手段６として有効に作用する。
〈２〉上記実施の形態においては、充填用空間内に区画壁部を設けた例を示したが、この区画壁部は必要なものではなく、上記〈１〉に記したような、蓋部を有する枠状本体にあっては、固化性充填材５が溢れ出るおそれがないので、前記区画壁部２ｄを設けなくても、前記充填用空間Ｓ内に確実に固化性充填材５を充填出来る。つまり、前記枠状本体２は、必ずしも格子枠状を呈するものでなくてもよく、法面Ｆに伏せた箱状のものであってもよいのである。
〈３〉上記実施の形態においては、受け座４を球面受け座に形成した例を示したが、平面状の受け座であってもうよい。また、アンカーの係止方向に自由度を持たせるには、他の手段を採用することも可能で、例えば、１つのアンカー部材に複数のアンカーヘッドを備える場合には、受け座をピヴォットで支持し、複数のアンカーヘッドを係止させることによって、アンカーの係止方向に自由度を持たせることも可能である。
〈４〉上記実施の形態においては、図１に、上方に向かって膨らんだ球面状に形成した球面受け座４を示したが、これは、上方に向かって凹状に形成された球面受け座であってもよく、この場合には、アンカーヘッドの前記球面受け座に対する接当面を前記球面受け座に沿う球面状に形成してあればなおよい。
〈５〉上記実施の形態においては、図１に示したように、前記接地底板２ａを、前記枠状体２の中央に位置する区画空間Ｓ１の底部に設けた例を示したが、前記接地底板２ａは、前記枠状体２の端部に設けられてあってもよい。この場合、前記中央に位置する区画空間Ｓ１は、固化性充填材５の充填用空間Ｓ或いは区画空間Ｓ１として機能させてもよい。
〈６〉上記実施の形態においては、枠状体を一体に形成した例を示したが、これを分割形成することも可能であり、図４に示すように、前記枠状本体２が、第２枠状部材８と上方から係合するための係合部７ｅを備えるとともに、接地底板７ａと、前記アンカー部材３と係合可能な受け座４を備えた係止部７ｂとを設けて、接地側が開放し、且つ、前記傾斜地面との間に固化性充填材５を充填可能な充填用空間Ｓを内部に形成してある第１枠状部材７と、前記係合部７ｅと下方から係合するための被係合部８ｅを備えて、接地側が開放し、且つ、前記傾斜地面との間に固化性充填材５を充填可能な充填用空間Ｓを内部に形成してある前記第２枠状部材８とに分割形成されてあってもよい。
つまり、同図（ロ）に示すように、一方で、平断面十字型の前記第１枠状部材７の一方の張出部両側の下方を欠いて、前記係合部７ｅとし、他方で、長方形状の前記第２枠状部材８の中央部の上方を欠いて、前記被係合部８ｅとしてあるものでもよい。こうして、前記第１枠状部材７を前記接地底板７ａを法面Ｆに接地させるに際して、前記第２枠状部材８を、その被係合部８ｅを前記係合部７ｅに係合させて、前記係合部７ｅ上方の区画空間Ｓ１を前記被係合部８ｅ下方の区画空間Ｓ１と合体させて、前記第２枠状部材８の前記開放された接地部２ｅに連通させることにより、同図（イ）に示すような、地山の法面に対する受圧面積を大きくした受圧板１を形成することが出来る。
これを詳しく説明すると、一方の、平断面十字状の、中央部下方を欠いて前記係合部７ｅを形成した前記第１枠状部材７には、上記実施の形態に示した枠状本体２と同様に、その外周壁部７ｃの内側の充填空間Ｓを区画して区画空間Ｓ１を形成する区画壁部７ｄを設けてあるとともに、その中央部に位置する区画空間に相当する部位の接地部２ｅに接地底板７ａを設けるとともに係止部７ｂを設け、その係止部７ｂに球面受け座４を設けてあり、他方の、直方体状の、中央部上方を欠いて前記被係合部８ｅを形成した第２枠状部材８にも、上記実施の形態に示した枠状本体２と同様に、その外周壁部８ｃの内側の充填空間Ｓを区画して区画空間Ｓ１を形成する区画壁部８ｄを設けてある。そして、前記係合部７ｅを形成した外周壁部７ｃ及び区画壁部７ｄの内部に形成される充填空間Ｓを区画した各区画空間Ｓ１と、前記被係合部８ｅを形成した外周壁部８ｃ及び区画壁部８ｄの内部に形成される充填空間Ｓを区画した各区画空間Ｓ１とは連通して、夫々一体化した区画空間Ｓ１を形成するようにしてある。
その結果、先述の図１に示した枠状本体２と同様の受圧板１よりもさらに大きな受圧面積を有する受圧板を構成可能でありながら、固化性充填材５の充填は容易であると同時に、前記枠状本体２よりも大きくはならず、軽量で、搬送に適した部材に分割して輸送することが可能になる。従って、受圧板を構成する枠状本体と同様の特性を備えながら、さらに広範囲にに亘って接地面部を形成可能な、輸送並びに施工に適した、複数の枠状部材を組み合わせた枠状本体からなる受圧板を形成することが出来る。
〈７〉上記〈６〉において、枠状体を分割形成し、受圧面積を拡大するものを示したが、上記の実施の形態における枠状本体２の形状を備えながら、これを２分割して、図５（ロ）に示すように、前記枠状本体２が、第３枠状部材９と上方から係合するための係合部７ｅを備えるとともに、前記アンカー部材３と係合可能な受け座４を備えた係止部７ｂとを設けて、接地側が開放し、且つ、前記傾斜地面との間に固化性充填材５を充填可能な充填用空間Ｓを内部に形成してある第１枠状部材７と、前記係合部７ｅと下方から係合するための被係合部９ｅを備えるとともに、接地底板９ａを設けて、接地側が開放し、且つ、前記傾斜地面との間に固化性充填材５を充填可能な充填用空間Ｓを内部に形成してある第３枠状部材９とに分割形成してあってもよい。
詳しくは、一方、直方体状の、中央部下方を欠いて前記係合部７ｅを形成した前記第１枠状部材７には、上記実施の形態に示した枠状本体２と同様に、その外周壁部７ｃの内側の充填空間Ｓを区画して区画空間Ｓ１を形成する区画壁部７ｄを設けてあるとともに、その中央部に位置する区画空間に相当する部位の係止部７ｂを設け、その係止部７ｂに球面受け座４を設けてあり、他方、直方体状の、中央部上方を欠いて前記被係合部９ｅを形成した第３枠状部材９にも、上記実施の形態に示した枠状本体２と同様に、その外周壁部９ｃの内側の充填空間Ｓを区画して区画空間Ｓ１を形成する区画壁部９ｄを設けてあるとともに、その被係合部９ｅの接地部２ａに接地底板９ａを設けるとともに、その接地底板９ａにアンカー貫通部９ｂを設けてある。
従って、輸送に際しては、長方形状の両枠状部材７，９を分割した状態で搬送し、施工地で組み立てればよく、所定の箇所に第３枠部状材９を設置し、その上から、第１枠状部材９を、その係合部７ｅを前記第３枠状部材９の被係合部９ｅの上から係合させて、図５（イ）に示すように、前記図２に示したと同様の形状の枠状本体１を形成することが出来る。
その結果、先述の図１に示した枠状本体２と同様の受圧板１を構成可能でありながら、さらに軽量で、幅をも狭くして搬送に適した枠状部材７，９に分割して輸送することが可能になる。従って、受圧板１を構成する枠状本体２と同一の特性をそのまま備えながら、輸送並びに施工に適した、複数の枠状部材７，９を組み合わせた枠状本体２からなる受圧板１を形成することが出来る。
〈８〉尚、上記〈７〉の例の第１枠状部材７の係合部７ｅを、その全長に亘って形成して、図６に示すように、前記第３枠状部材９の両側に前記第２枠状部材８を連設するようにすれば、前記図４（イ）に示したと同様の受圧板１を形成することが出来る。
〈９〉また、前記〈６〉に示した例において、図７に示すように、第１枠状部材７の係合部７ｅに傾斜を持たせて、前記張出部の厚さを先端側に薄くなるように形成して、等応力片持ち梁の形状にし、第２枠状部材８の被係合部８ｅを前記係合部７ｅに合わせて形成すれば、分割形成した枠状本体２の係合部分の厚さを減少することが可能である。
〈１０〉上記実施の形態においては、固化性充填材５にコンクリートを用いて、固化したコンクリート５Ａを充填用空間Ｓ内に一体化形成する例を示したが、前記固化性充填材５はコンクリートに限らず、他の固化性を有する充填材、例えば合成樹脂等の、充填前においては流動性を示し、充填後に充分な強度を備えて固化する物質を用いることも可能である。
〈１１〉前記〈６〉、〈７〉に記した実施の形態において、前記係合部７ｅと、前記被係合部８ｅ又は前記被係合部９ｅとの間に連通する充填用空間Ｓを形成するようにした例を示したが、これらの空間Ｓ１は必ずしも連通していなければならないものではなく、夫々に独立した空間を形成するものであってもよい。つまり、前記第２枠状部材８又は前記第３枠状部材９が前記接地面部１ａを形成するので、前記係合部においては、前記接地面部１ａ側に固化性充填材５が充填され、充填された固化性充填材５が接地する空間を設けてあればよいのである。尚、前記第１枠状部材７と、前記第２枠状部材８或いは前記第３枠状部材９との間に連通する充填用空間Ｓ（又は区画空間Ｓ１）を備えておれば、その内部に充填されて固化した固化性充填材５によって、前記第１枠状部材７と、前記第２枠状部材８或いは前記第３枠状部材９とが一体化されるので好ましい。
【００１２】
尚、特許請求の範囲の項に図面との対照を便利にするために符号を記すが、該記入により本発明は添付図面の構成に限定されるものではない。
【図面の簡単な説明】
【図１】本発明の一実施形態の設置例を示す縦断面図
【図２】図１に示した受圧板の斜視図
【図３】本発明の他の実施形態を示す要部断面図
【図４】本発明の他の実施形態を示す構成説明図
【図５】本発明の他の実施形態を示す構成説明図
【図６】本発明の他の実施形態を示す構成説明図
【図７】本発明の他の実施形態を示す構成説明図
【図８】従来の受圧板の一例の設置状態を示す縦断面図
【図９】従来の受圧板の一例の平面図
【符号の説明】
２    枠状本体
２ａ  接地底板
２ｂ  係止部
２ｃ  外周壁部
２ｄ  区画壁部
３    アンカー部材
４    受け座
５    固化性充填材
６    抜け出し阻止手段
Ｓ    充填用空間
【図１】
0003683029.tif 000002
【図２】
0003683029.tif 000003
【図３】
0003683029.tif 000004
【図４】
0003683029.tif 000005
【図５】
0003683029.tif 000006
【図６】
0003683029.tif 000007
【図７】
0003683029.tif 000008
【図８】
0003683029.tif 000009
【図９】
0003683029.tif 000010